(57)【要約】【課題】ガスバリア性封止材が口栓内側で損傷せず、充填された内容物が漏れ出ない口栓を得る。【解決手段】前フィルム（１１）と、後フィルム（１２）と、前記前フィルムと後フィルムとの間にあって、開封用アダプタ（３）によって破断された場合に、前記収納空間と外部を連通する孔が形成される保護フィルム（１４）と、前記保護フィルムに接合され、前記開封用アダプタが挿入される口栓（２）と、を備え、前記口栓は前記保護フィルムが破断された場合に、前記孔を介して前記内容物が流出する注出口（２１）を有し、前記注出口の内側端面と前記保護フィルムとの間に隙間のある未融着部を有し、かつ、少なくとも口栓側のバリア層（１４２）より外側の層に、前記注出口に対向する前記保護フィルム全体にわたるパターン状の易破断性の脆弱部（１４７）を有していることを特徴とする包装袋（１）。【選択図】図１
2020128220.tif 000002
【特許請求の範囲】
【請求項１】
内容物を収納する収納空間が形成されるように接合される前フィルムと、後フィルムと、
前記前フィルムと後フィルムとの間にあって、開封用アダプタによって破断された場合に、前記収納空間と外部を連通する孔が形成される保護フィルムと、
前記保護フィルムに接合され、前記開封用アダプタが挿入される口栓と、を備え、
前記口栓は前記保護フィルムが破断された場合に、前記孔を介して前記内容物が流出する注出口を有し、
前記注出口の内側端面と前記保護フィルムとの間に隙間のある未融着部を有し、
かつ、少なくとも口栓側のバリア層より外側の層に、前記注出口に対向する前記保護フィルム全体にわたるパターン状の易破断性の脆弱部を有していることを特徴とする包装袋。
【請求項２】
易破断性の脆弱部のパターンが、未融着部の大きさよりも充分に小さなピッチからなることを特徴とする請求項１に記載の包装袋。
【請求項３】
保護フィルムが、バリア層の表裏にシーラント層を有するフィルムであることを特徴とする請求項１又は２に記載の包装袋。
【請求項４】
保護フィルムが、バリア層の表裏に２軸延伸ポリエチレンテレフタレートフィルムを有するのに、厚くとも２０μｍ以下としたことを特徴とする請求項１〜３のいずれかに記載の包装袋。
【発明の詳細な説明】
【技術分野】
【０００１】
本発明は、一端に口栓を有し、液体を収納するバリア性の高い包装袋に関する。
【背景技術】
【０００２】
液体を収納する容器として、フィルムからなる包装袋の一端に口栓を融着し、その口栓に開封用アダプタを挿入することによって開封し、内容物を注出可能とする包装袋が知られている。
例えば、特許文献１では、パウチ、および、パウチに取り付けられるスパウト本体を含むガスバリア性スパウトを開示している。パウチは内容物を収納する収納空間が形成されるように接合される２枚のガスバリア性フィルム、および、２枚のガスバリア性の間に設けられるガスバリア性封止材を備える。スパウト本体はガスバリア性封止材が開封用アダプタによって破断された場合に内容物が注出する注出口を含む。スパウト本体の注出口内側はガスバリア性封止材と融着される。スパウト本体に開封用アダプタが挿入された場合、ガスバリア性封止材のうちのスパウト本体の注出口内側と面する部分が破断し、スパウト本体を介して内容物を注出する。
【先行技術文献】
【特許文献】
【０００３】
【特許文献１】特許第５９８００７３号公報
【発明の概要】
【発明が解決しようとする課題】
【０００４】
特許文献１のガスバリア性封止材を備えたスパウトでは、製造過程において、ガスバリア性封止材をスパウト本体の注出口内側に融着する工程は、正確に押圧しにくく、融着不良が発生しやすい。典型的な例では、ガスバリア性封止材の内のスパウト本体の注出口内側の面が損傷し、充填された内容物がスパウト本体を介して漏れ出す恐れがある。
【課題を解決するための手段】
【０００５】
本発明の包装袋は、
内容物を収納する収納空間が形成されるように接合される前フィルムと、後フィルムと、前記前フィルムと後フィルムとの間にあって、開封用アダプタによって破断された場合に、前記収納空間と外部を連通する孔が形成される保護フィルムと、
前記保護フィルムに接合され、前記開封用アダプタが挿入される口栓と、を備え、
前記口栓は前記保護フィルムが破断された場合に、前記孔を介して前記内容物が流出する注出口を有し、
前記注出口の内側端面と前記保護フィルムとの間に隙間のある未融着部を有し、
かつ、少なくとも口栓側のバリア層より外側の層に、前記注出口に対向する前記保護フィルム全体にわたるパターン状の易破断性の脆弱部を有していることを特徴とする包装袋である。
【発明の効果】
【０００６】
本発明の包装袋は、
注出口の内側端面と保護フィルムとの間に隙間を設け、保護フィルムを注出口内側端面と融着しないので、融着不良によるバリア性の低下を生じない。しかも、開封用アダプタを突き当てる保護フィルムに、易破断性の脆弱部を有しているので、包装袋を容易に開封させることができる。
【図面の簡単な説明】
【０００７】
【図１】本発明の包装袋の一例で、その包装袋と、開封用アダプタを挿入して開封する状態を示す斜視図である。
【図２】本発明の包装袋を構成する要素を示す図である。
【図３】本発明の包装袋に使用する前フィルムや後フィルム、保護フィルムの構成例を示す図である。
【図４】本発明の包装袋に使用する保護フィルムに、易破断性の脆弱部を加工した加工パターン例を示す実施形態例である。
【図５】本発明の包装袋に使用する口栓の一例で、その斜視図と正面一部切り欠き断面図、および底面図である。
【図６】本発明の包装袋の口栓近傍の断面図で、開封前と、開封工程を示す図である。
【発明を実施するための形態】
【０００８】
以下、本発明の包装袋の実施形態例について、図を用いて詳細に説明する。
図１は、本発明の包装袋の一例で、その包装袋と、開封用アダプタを挿入して開封する状態を示す斜視図である。
本発明の包装袋１は、図１に示すように、前フィルム１１と、後フィルム１２のシーラント面同士が向かい合わせ、周縁を接合し、内容物を収納する収納空間１３を形成している。
包装袋１の上方には、口栓２と、口栓２の前後両面と下方を覆う保護フィルム１４が融着されている。
図１では包装袋の形態を平袋タイプで記載しているが、下方にガゼットを設けたスタンディングパウチの形態であっても、左右にガゼットを有するガゼットパウチの形態であっても、背シールを有するピローパウチの形態であっても、円周状で繋がったチューブの上下をシールするだけのチューブ形態であってもかまわない。
本発明の包装袋１に充填する内容物の一例は経腸栄養剤などの液体で、流動食品などであっても良い。また、接着剤などの工業用薬品などであってもかまわない。
この包装袋１を開封するには、開封用アダプタ３の保護リング３１を外し、開封用アダプタ３を口栓２に挿入し、回動させて開封する。
【０００９】
図２は、本発明の包装袋１を構成する要素を示す図である。
前フィルム１１と、後フィルム１２との上方の間に、中央で内側に折り曲げられた保護フィルム１４が、挿入される。
図３に示すように、保護フィルム１４は、表裏にシーラント層１４１を有し、中間にバリア層１４２を有しており、内側シーラント層は口栓２の舟形融着部２３に融着し、外側シーラント層は前フィルム１１や後フィルム１２の内面のシーラント層と融着する。
【００１０】
折り曲げられた保護フィルム１４の内側には、外側から口栓２が挿入される。
口栓２の注出口２１に挿入される開封用アダプタ３は、下方に保護リング３１を有し、容易に外れるようになっている。
開封用アダプタ３には、先端が尖った刃形状を有する切り裂き部３２を有し、保護フィルム１４を容易に切り裂いて開封可能としている。
【００１１】
図３は本発明に使用されるフィルム構成例を示す断面の模式図である。
図３−１は、前フィルム１１と後フィルム１２の構成で、基材層からなる最外層１０１、バリア性の金属箔や金属蒸着層、酸化金属蒸着層などのバリア性を有する第一中間層１０２、低温落下など衝撃を吸収して破袋を防止したり、水分の透過を防いだりする第二中間層１０３、および融着性の優れるシーラントからなる最内層１０４によって構成される積層フィルムから形成されている。
【００１２】
図３−２〜図３−６は、保護フィルム１４の構成例である。
図３−２の構成が基本の構成例で、保護フィルム１４は、表裏にシーラント層１４１を有し、中間にバリア層１４２を有している。図３−２では、バリア層１４２として、金属箔を使用している。
保護フィルム１４には、全体にパターン化した易破断性の脆弱部１４７を設けている。この脆弱部１４７は、少なくとも口栓側のバリア層より外側の層に加工した易破断性の脆弱部１４７から形成されている。
外側の層に加工した脆弱部１４７は、外側から開封用アダプタの切り裂き部が押し込まれた時、部分的に破断しやすい脆弱部が内側に押し広げられて、容易に破断しやすい。
【００１３】
図３−３や図３−４の構成では、バリア層として、金属、あるいは酸化金属の蒸着層１４４を設けた２軸延伸フィルム１４３を使用している例である。
また、図３−６で示すように、脆弱部１４７が口栓側のバリア層より外側の層だけでなく、内容物を収納する収納側の内側の層にも易破断性の脆弱部１４７を加工した保護フィルム１４であっても良い。
【００１４】
図４は、本発明の包装袋に使用する保護フィルム１４に、易破断性の脆弱部１４７を加工した加工パターン例を示す実施形態例である。
保護フィルム１４は表裏にシーラント層、中間層としてバリア層を有している。そこに加工する脆弱加工は、パターン状に、少なくとも保護フィルムの外側に、あるいは内外から破断可能な脆弱加工をバリア層より外側の層に加工する。
例えば、細かい突き刺し刃が密集したロータリー刃で半抜きとしたり、レーザー光を細かいピッチで走査させたりする。
【００１５】
図４は、本発明の包装袋に使用する口栓の一例で、図４−１にその斜視図、図４−２に正面図で、一部切り欠き断面図とし、図４−３は底面図である。
口栓２は、中央に内外と連通する注出口２１と、その上方外側には螺合するネジ部２２を有し、下方外側には、断面が舟形の舟形融着部２３を有している。ネジ部２２の代わりに打栓用の嵌合リングであってもかまわない。
舟形融着部２３は、断面の中央が内容物を排出可能とする注出口を有する為、中央の幅が大きく、左右に行くに従って薄肉になり、その先端は極細の断面になった舟形形状をしている。
図４−３の底面図で示すように、前フィルム１１と後フィルム１２に挟まれる保護フィルム１４は、口栓２で前後に開かれて、その間に舟形融着部２３が融着するようになる。その時、左右の前フィルム１１と後フィルム１２に挟まれる保護フィルム１４の外面同士が直接融着する所と、舟形融着部２３と融着する際で、隙間が生じにくいように細くなっている。
【００１６】
図５−１は、口栓の注出口内側端面側から見た図である。
図５−１に示すように、前フィルム１１と後フィルム１２に挟まれる保護フィルム１４は、口栓２によって前後に開かれて、その間に舟形融着部２３が融着するようになる。
口栓の下方側面に形成される舟形融着部２３と保護フィルム１４とが融着する融着部のほぼ中央の内側端面に、保護フィルム１４が押圧されないで、隙間を有した状態となり、口栓に融着しない保護フィルム１４の未融着部１４６が形成される。
前記未融着部１４６に、開封用アダプタ先端の切り裂き部３２が突き刺さることによって開封されて開口部が形成される。
図の開封用アダプタ先端の突き刺し部３２の断面が、突き刺さって開封される開封面積３２１になる。
舟形融着部２３の内側端面注出口の内側端面は、注出時の内容物の流路となる。この、未融着部１４６の未融着面積１４６０は開封面積３２１の１００パーセント以上を確保して
いる。
また、舟形融着部２３の内側端面と保護フィルムとの間の隙間は、開封用アダプタの突き刺し長さに対して、充分に狭い隙間である必要があり、未融着部１４６の未融着面積１４６０を開封面積３２１の１５０パーセント以下とすることが好ましい。
【００１７】
図５−２〜図５−９に示す図は、保護フィルム１４上の脆弱部１４７の加工パターンである。図のように、脆弱部１４７の加工パターンは、保護フィルム全体にわたって加工される。
保護フィルムの中央には折り曲げ部１４５があり、左右両側では、保護フィルム１４の外面が折り込まれ、外面同士が融着される。
さらに、保護フィルムの折り畳まれる内側の中央には口栓が挿入され、舟形融着部と融着される。その舟形融着部の側面が保護フィルムと融着されるが、舟形融着部の内側端面では、開封用アダプタによって開封可能となる未融着部１４６が形成される。
各々の易破断性の脆弱部１４７の加工パターンは、上記未融着部１４６の中に、確実に入るように、未融着部面積よりも充分に小さなピッチから形成される。
図５−２は脆弱部１４７がハニカム構造の加工パターンの実施例である。パターンが繋がっているので、未融着部１４６が移動したとしても、どこに突き裂き部で突き刺しても、開孔しやすい。
図５−３は、脆弱部１４７が平行な直線形状の加工パターンの実施例である。
図５−４は、脆弱部１４７の三角形が分散した形状の加工パターンの実施例である。
図５−５は、脆弱部１４７の四角形が分散した形状の加工パターンの実施例である。
図５−６は、脆弱部１４７の波線が並行した形状の加工パターンの実施例である。
図５−７は、脆弱部１４７の折れ曲がり線が並行した形状の加工パターンの実施例である。
図５−８は、脆弱部１４７の円形ドットが分散した形状の加工パターンの実施例である。図５−９は、脆弱部１４７のハ文字が並行して並べられた加工パターンの実施例である。各加工パターンの図に示す未融着部１４６の範囲が、どのパターンにも易破断性の脆弱部のパターンが安定して取り込めている。
【００１８】
図６は、本発明の包装袋の口栓２近傍の側面側から見た断面図で、図６−１が開封前、図６−２は開封工程を示す図である。
口栓２は、舟形融着部２３の前後両面から保護フィルム１４が融着すると共に、その注出口内側端面には隙間を設け、未融着状態の保護フィルム１４で覆われている。
さらに、その舟形融着部２３を覆った保護フィルム１４を、さらに、前フィルム１１と、後フィルム１２によって前後両面から融着して覆われる。
口栓２の注出口２１に挿入される開封用アダプタ３は、下方に保護リング３１を有し、容易に外れるようになっている。
さらに、開封用アダプタ３には、先端が尖った刃形状を有する切り裂き部３２を有し、保護フィルム１４を容易に切り裂いて開封可能としている。
図６−２で示すように、開封用アダプタ３には、口栓２のネジ部２２に螺合する内ネジを有し、開封用アダプタ３を回動させることによって、口栓２内側の未融着状態の保護フィルムに切り裂き部３２を強く突き刺して、開封可能とすることができる。
もちろん、打栓の場合には、強く押し当てたり、叩いたりして突き刺し、未融着状態の保護フィルムを突き破り、開封させる。
【００１９】
本発明の包装袋に使用される前フィルムや後フィルムは、前記基材層（最外層）、バリア層（第一中間層）、低温落下など衝撃を吸収して破袋を防止したり、水分の透過を防いだりする第二中間層、およびシーラント層（最内層）から構成される積層フィルムである。
【００２０】
基材層としては、２軸延伸ポリエチレンテレフタレートフィルムや２軸延伸ポリアミド樹脂フィルム、２軸延伸ポリプロピレンフィルムなどの２軸延伸フィルムが良い。
基材層として、柔軟性が高い２軸延伸樹脂フィルムを使用することによって、落下などの衝撃に対して、破断しにくく、かつ、キズがつきにくい。
【００２１】
バリア層（第一中間層）としては、アルミニウム箔などの金属箔や、アルミニウム、錫、クロム、ニッケルなどの金属蒸着層、あるいは、酸化ケイ素、酸化アルミニウム（アルミナ）、酸化チタン、酸化ジルコニウムなどの酸化金属蒸着層を使用することができる。蒸着層を用いる場合、その基材には前記基材層をそのまま使用しても良いし、新たに熱固定した耐熱性の２軸延伸ポリエチレンテレフタレートフィルムなどを使用しても良い。
さらに、エチレン・酢酸ビニル共重合体鹸化物などのバリア性を有する樹脂フィルムを使用しても良い。
【００２２】
第二中間層としては、低温落下など衝撃を吸収して破袋を防止したりするポリアミド系樹脂が使用できる。
使用されるポリアミド樹脂は、６−ナイロン、６，６−ナイロン、１１―ナイロン、１２―ナイロンなどや、６−、６，６−共重合ナイロン、６−、１０−共重合ナイロン、６−、１２−共重合ナイロンなどの共重合ナイロンなどが使用できる。
１０μｍより薄いと、衝撃で伸びて破断しやすく、２５μｍより厚いと、柔軟性がなくなるので、厚みは１０〜２５μｍの範囲が好ましい。
【００２３】
最内層には、融着性の優れるシーラント樹脂が使用される。
シーラント樹脂としては、低密度ポリエチレン、直鎖状低密度ポリエチレン、中密度ポリエチレン、ポリプロピレン、エチレン・プロピレン共重合体、エチレン・酢酸ビニル共重合体、エチレン・メタアクリル酸共重合体、エチレン・アクリル酸共重合体、エチレン・エチルアクリレート共重合体、アイオノマー樹脂なども使用できる。
【００２４】
本発明の包装袋に使用される保護フィルムとしては、表裏にシーラント層を有し、中間にバリア層を有したフィルムである。
保護フィルムにおける外側のシーラント層は、前フィルムや後フィルムの内層に融着すると共に、内側のシーラント層は口栓と融着する。
そこで、前フィルムや後フィルムと同じように、シーラント樹脂としては、低密度ポリエチレン、直鎖状低密度ポリエチレン、中密度ポリエチレン、ポリプロピレン、エチレン・プロピレン共重合体、エチレン・酢酸ビニル共重合体、エチレン・メタアクリル酸共重合体、エチレン・アクリル酸共重合体、エチレン・エチルアクリレート共重合体、アイオノマー樹脂なども使用できる。
【００２５】
保護フィルムのバリア層としては、容易に破断しやすいバリア層である必要がある。
そこで、突き刺しで容易に破断しやすいアルミニウム箔、錫箔、のような金属箔が好ましい。
もし、バリア層がポリエチレンテレフタレートフィルムなどの２軸延伸された基材フィルムに蒸着した金属蒸着膜であったり、酸化金属蒸着膜であったりするなどの場合には、
基材フィルムの厚みを２０μｍ以下、好ましくは１２μｍ以下とすることが好ましい。
又、上記バリア層とシーラント層の間に、２軸延伸ポリエチレンテレフタレートフィルムなどを積層したフィルムであってもかまわない。
バリア層とシーラント層の間に、２軸延伸フィルムを使用して保護フィルムの強度を上げた場合には、脆弱部の深さをその２軸延伸フィルムまで到達させるか、１２μｍ以下の厚みに留めて破断しやすくすることが好ましい。
【００２６】
本発明の包装袋に使用する前フィルムや後フィルム、保護フィルムは、一般的なドライ
ラミネート機や、エクストルーダーラミネート機などを使用して積層することができる。また、積層フィルムを融着して包装袋に成形するには、４方シールや、３方シール、あるいは、一部を内側に折り込んでガゼットを形成するなどの形態をとることができると共に、その融着は一般的なヒートシール方式やインパルスシール方式などによって製造できる。
【実施例】
【００２７】
以下に本発明の実施例について説明する。
【００２８】
図６は、本発明の包装袋１の口栓２の内面を覆っている保護フィルム１４の注出口に対向する位置に、易破断性の脆弱部を加工し、図６−２で示すように、開封用アダプタの切り裂き部３２を押し込んだ時に、保護フィルムが容易に開封しやすくした加工例を示す実施形態例と、比較例である。
図６−１は、注出口内面側から見た図で、切り裂き部３２の断面に相当し突き刺して開封する開封面積３２１と、保護フィルムが注出口と未融着な状態の面積に相当し舟形融着部の両端の薄肉部を除いた未融着面積１４６を示した。
上記未融着面積１４６は、上記開封面積３２１の１２５パーセントとする。
【００２９】
＜実施例１＞
前フィルムや後フィルムとして、外側から、２軸延伸ポリエチレンテレフタレートフィルム１２μｍ／接着剤／アルミニウム箔９μｍ／接着剤／２軸延伸６−ナイロンフィルム１５μｍ／接着剤／無延伸ポリプロピレンフィルム６０μｍの構成で積層フィルムを使用した。
前フィルムと後フィルムを、幅１５０ｍｍ、縦２００ｍｍの大きさに切断した。
口栓は、図３に示す形状で、ポリプロピレン樹脂を射出成形により作成した。
保護フィルムは、図３−２に示すように、
外側から、無延伸ポリプロピレンフィルム５０μｍ／接着剤／アルミニウム箔２０μｍ／接着剤／無延伸ポリプロピレンフィルム５０μｍの構成とし、幅１５０ｍｍ、縦４０ｍｍで、全体を図６−２に示す分散した三角形状で、口栓側からのみ、レーザー光の走査によってバリア層より外側の無延伸ポリプロピレンフィルム５０μｍに脆弱加工し、その脆弱加工面積を注出口との未融着面積２３１に対して３０パーセントになるように加工した。保護フィルムは、縦方向の中央で折り曲げ、注出口に対向する中央に図４に示した形状の口栓を挟んで、その舟形融着部２２１の側面部分と保護フィルム内面を融着し、かつ、舟形融着部２２１の両端薄肉部の両端に折り曲げられた保護フィルム内面同士を融着し、保護フィルムと口栓を一体化した。
保護フィルムと一体化した口栓を、前フィルムと後フィルムの上端で挟み、図１のように、周縁を融着して、包装袋を得た。
【００３０】
＜実施例２＞
保護フィルムを、図３−３に示すように外側から、無延伸ポリプロピレンフィルム５０μｍ／接着剤／酸化ケイ素蒸着ポリエチレンテレフタレートフィルム１２μｍ／接着剤／無延伸ポリプロピレンフィルム５０μｍの構成とし、口栓側からレーザー光の走査によってバリア層より外側の無延伸ポリプロピレンフィルム５０μｍに脆弱加工した。
その他の前フィルムと後フィルム、保護フィルムの脆弱部加工パターン、口栓の構成や大きざなどは、実施例１と同じ構成とし、口栓を融着した包装袋を得た。
【００３１】
＜実施例３＞
保護フィルムを、図３−４に示すように外側から、無延伸ポリプロピレンフィルム５０μｍ／接着剤／ポリエチレンテレフタレートフィルム１２μｍ／接着剤／酸化ケイ素蒸着ポリエチレンテレフタレートフィルム１２μｍ／接着剤／無延伸ポリプロピレンフィルム３
０μｍの構成とし、口栓側からレーザー光の走査によってバリア層より外側の無延伸ポリプロピレンフィルム５０μｍ／接着剤／ポリエチレンテレフタレートフィルム１２μｍの層にまで脆弱加工した。
その他の前フィルムと後フィルム、保護フィルムの脆弱部加工パターン、口栓の構成や大きざなどは、実施例１と同じ構成とし、口栓を融着した包装袋を得た。
【００３２】
＜実施例４＞
保護フィルムを、図３−５に示すように外側から、無延伸ポリプロピレンフィルム５０μｍ／接着剤／ポリエチレンテレフタレートフィルム９μｍ／接着剤／アルミニウム箔９μｍ／接着剤／ポリエチレンテレフタレートフィルム９μｍ／接着剤／無延伸ポリプロピレンフィルム２０μｍの構成とし、口栓側からレーザー光の走査によってバリア層（アルミニウム箔）より外側の無延伸ポリプロピレンフィルム５０μｍ／接着剤／ポリエチレンテレフタレートフィルム９μｍの層にまで脆弱加工した。
その他の前フィルムと後フィルム、保護フィルムの脆弱部加工パターン、口栓の構成や大きざなどは、実施例１と同じ構成とし、口栓を融着した包装袋を得た。
【００３３】
＜実施例５＞
保護フィルムを、図３−６に示すように外側から、無延伸ポリプロピレンフィルム５０μｍ／接着剤／アルミニウム箔２０μｍ／接着剤／無延伸ポリプロピレンフィルム５０μｍの構成と、実施例１と同じ構成であるが、図３−６に示すように、口栓側からも、収納側からも、両面からバリア層（アルミニウム箔）より外側および内側の無延伸ポリプロピレンフィルム５０μｍにまでレーザー光の走査によって脆弱加工を施した。
その他の前フィルムと後フィルム、保護フィルムの脆弱部加工パターン、口栓の構成や大きざなどは、実施例１と同じ構成とし、口栓を融着した包装袋を得た。
【００３４】
＜比較例１＞
保護フィルムを、図３−７に示すように外側から、無延伸ポリプロピレンフィルム５０μｍ／接着剤／アルミニウム箔２０μｍ／接着剤／無延伸ポリプロピレンフィルム５０μｍの構成と、実施例１と同じ構成であるが、図３−７に示すように、脆弱加工を施さなかった。
その他の前フィルムと後フィルム、保護フィルムの脆弱部加工パターン、口栓の構成や大きざなどは、実施例１と同じ構成とし、口栓を融着した包装袋を得た。
【００３５】
＜評価方法＞
＜バリア性＞
＜酸素透過度測定＞株式会社日立ハイテクサイエンス社製ＭＯＣＯＮ・ＯＸ−ＴＲＡＮ２／２２で、ＪＩＳＫ−７１２６に準拠し測定した。
＜水蒸気透過度測定＞株式会社日立ハイテクサイエンス社製ＭＯＣＯＮ・ＰＥＲＭＡＴＲＡＮ−Ｗ３／３４Ｇで、ＪＩＳＫ−７１２９Ｂに準拠し測定した。
【００３６】
＜開封性＞
モニター１０人が実際に開封してみて、開封し易いと判断した人の人数で評価した。
【００３７】
＜評価結果＞
バリア性は、すべて、酸素透過度が１０ｃｃ／ｍ２・２４ｈ・ａｔｍ以下、水蒸気透過度が１０ｇ／ｍ２・２４ｈ以下で、必要なバリア性を得た。
開封性は、実施例１〜実施例５では、１０人中１０人全員が開封しやすいと評価したが、比較例１では、保護フィルムが容易に切り開かずに、開封し難いと判断された。
【００３８】
【表１】
2020128220.tif 000003
【００３９】
以上の結果から、保護フィルムのバリア層より口栓側に脆弱加工を施せば、バリア性と開封性を両立して得ることができると判断された。
【００４０】
本発明の口栓付きの包装袋は、以上のようなもので、通常の生産ラインに容易に組み込みことができると共に、開封しやすいのに、バリア性も高い包装袋を得ることができるなど、本発明のメリットは高い。
【符号の説明】
【００４１】
１・・・・・・・・包装袋
１０１・・・・・・最外層
１０２・・・・・・第一中間層
１０３・・・・・・第二中間層
１０４・・・・・・最内層
１１・・・・・・・前フィルム
１２・・・・・・・後フィルム
１３・・・・・・・収納空間
１４・・・・・・・保護フィルム
１４１・・・・・・シーラント層
１４２・・・・・・バリア層
１４３・・・・・・２軸延伸フィルム
１４４・・・・・・蒸着層（金属蒸着層、酸化金属蒸着層）
１４５・・・・・・折り曲げ部
１４６・・・・・・未融着部
１４６０・・・・・未融着面積
１４７・・・・・・脆弱部（易破断性の脆弱部）
２・・・・・・・・口栓
２１・・・・・・・注出口
２２・・・・・・・ネジ部
２３・・・・・・・舟形融着部
３・・・・・・・・開封用アダプタ
３１・・・・・・・保護リング
３２・・・・・・・切り裂き部
３２１・・・・・・開封面積
【図１】
2020128220.tif 000004
【図２】
2020128220.tif 000005
【図３】
2020128220.tif 000006
【図４】
2020128220.tif 000007
【図５】
2020128220.tif 000008
【図６】
2020128220.tif 000009